【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
バッグ用のストラップアッセンブリであって、
第１端部と第２端部を画定するストラップであって、両方の端部が前記バッグに柔軟に連結され、少なくとも前記第１端部が補強要素を含む前記ストラップと、
前記補強要素および前記バッグに連結される支持部材であって、前記ストラップを前記バッグに対してある角度で持ち上げるように構成され、前記角度が調整可能である前記支持部材と、を備えるストラップアッセンブリ。
【請求項２】
前記補強要素は、合成樹脂、熱可塑性ゴム、ガラス繊維、金属、または気泡混入材の少なくとも１つを備える、請求項１に記載のストラップアッセンブリ。
【請求項３】
前記支持部材は、前記第１端部から前記第２端部までの長さの半分以下のところで前記補強要素に連結される、請求項１又は２に記載のストラップアッセンブリ。
【請求項４】
前記ストラップは、さらに軟質材料を含み、前記軟質材料は、前記補強要素を実質的に囲む、請求項１から３のいずれか一項に記載のストラップアッセンブリ。
【請求項５】
前記ストラップは、実質的に耐水性の表面を含む、請求項１から４のいずれか一項に記載のストラップアッセンブリ。
【請求項６】
前記支持部材は、フックアンドループ式締結部材を含む、請求項１から５のいずれか一項に記載のストラップアッセンブリ。
【請求項７】
前記支持部材は、ヒンジ結合具を含む、請求項１から６のいずれか一項に記載のストラップアッセンブリ。
【請求項８】
前記ストラップは、前記ストラップの長さを調整するように構成されるガイド部材を含む、請求項１から７のいずれか一項に記載のストラップアッセンブリ。
【請求項９】
前記角度は、約７５度〜約１３０度の範囲である、請求項１から８のいずれか一項に記載のストラップアッセンブリ。
【請求項１０】
基部と、
前記基部に結合される１つ以上の壁部であって、細長い物体を保管する密閉可能なハウジングを画定する前記壁部と、
第１端部と第２端部を画定するストラップであって、両方の端部が前記壁部に柔軟に連結され、少なくとも前記第１端部が補強要素を含む前記ストラップと、
前記補強要素および前記バッグに連結される支持部材であって、前記ストラップを前記バッグに対してある角度で持ち上げるように構成され、前記角度が調整可能である前記支持部材と、を備えるバッグ。
【請求項１１】
２つの各端部を画定する第２ストラップをさらに備え、各端部の両方が前記壁部に柔軟に連結され、少なくとも１つの各端部が第２補強要素を含み、前記バッグは、前記第２補強要素と前記バッグに連結された第２支持部材も備え、前記第２支持部材は、前記第２ストラップを前記バッグに対して第２角度で持ち上げるように構成され、前記第２角度が調整可能である、請求項１０に記載のバッグ。
【請求項１２】
前記壁部の少なくとも１つは、実質的に耐水性の表面を含む、請求項１０又は１１に記載のバッグ。
【請求項１３】
前記壁部の少なくとも一部に沿って延在しかつ連結された背柱をさらに備え、前記背柱が第１の剛性と関連付けられ、前記壁部が第２の剛性と関連付けられ、前記第１の剛性は前記第２の剛性より高く、前記ストラップの前記第１端部は、前記背柱に柔軟に連結される、請求項１０から１２のいずれか一項に記載のバッグ。
【請求項１４】
前記補強要素は、合成樹脂、熱可塑性ゴム、ガラス繊維、金属、または気泡混入材の少なくとも１つを備える、請求項１０から１３のいずれか一項に記載のバッグ。
【請求項１５】
前記支持部材は、前記第１端部から前記第２端部までの長さの半分以下のところで前記補強要素に連結される、請求項１０から１４のいずれか一項に記載のバッグ。
【請求項１６】
前記ストラップは、さらに軟質材料を含み、前記軟質材料は、前記補強要素を実質的に囲む、請求項１０から１５のいずれか一項に記載のバッグ。
【請求項１７】
前記ストラップは、実質的に耐水性の表面を含む、請求項１０から１６のいずれか一項に記載のバッグ。
【請求項１８】
前記支持部材は、フックアンドループ式締結部材を含む、請求項１０から１７のいずれか一項に記載のバッグ。
【請求項１９】
前記支持部材は、ヒンジ結合具を含む、請求項１０から１８のいずれか一項に記載のバッグ。
【請求項２０】
前記ストラップは、前記ストラップの長さを調整するように構成されたガイド部材を含む、請求項１０から１９のいずれか一項に記載のバッグ。
【請求項２１】
前記角度は、約７５度〜約１３０度の範囲である、請求項１０から２０のいずれか一項に記載のバッグ。
【請求項２２】
ストラップアッセンブリを有するゴルフバッグを製造する方法であって、
基部と、前記基部に結合された１つ以上の壁部とを有するバッグ本体を形成する工程と、
第１の端部と第２の端部を画定するストラップを形成する工程であって、少なくとも第１の端部と第２の端部のうちの１つの端部が補強要素を含む工程と、
両方の端部を前記壁部に柔軟に連結する工程と、
支持部材を前記補強要素と前記バッグに連結する工程であって、前記支持部材が前記ストラップを前記バッグに対してある角度で持ち上げるように構成され、前記角度が調整可能である工程と、を備える方法。
【請求項２３】
２つの各端部を画定する第２ストラップを形成する工程であって、少なくとも１つの各端部が第２補強要素を含む工程と、
各端部の両方を前記壁部に柔軟に連結する工程と、
第２支持部材を前記第２補強要素と前記バッグに連結する工程であって、前記第２支持部材が前記第２ストラップを前記バッグに対して第２角度で持ち上げるように構成され、前記第２角度が調整可能である工程と、
背柱を前記壁部の少なくとも一部に沿って連結する工程であって、前記第１端部は、前記背柱に柔軟に連結される工程と、
フックアンドループ式締結部材を前記支持部材に結合する工程と、
ヒンジ結合具を前記支持部材に結合する工程と、
ガイド部材を前記ストラップに結合する工程であって、前記ガイド部材が前記ストラップの長さを調整するように構成される工程と、をさらに備え、
前記支持部材を連結する工程は、前記支持部材を前記第１端部から前記第２端部までの長さの半分以下のところで前記補強要素に連結する工程を備え、
前記ストラップを形成する工程は、前記補強要素を実質的に囲む軟質材料を有するストラップを形成する工程を備える、請求項２２に記載の方法。
【手続補正２】
【補正対象書類名】明細書
【補正対象項目名】００３１
【補正方法】変更
【補正の内容】
【００３１】
特定の実施形態を示して記載したが、当業者には明らかなように、本開示の趣旨および範囲から逸脱することなく様々な修正を行えることは前述から理解されよう。そのような変更および修正は、本明細書に添付された請求項内に定義されるような本開示の範囲および教示内にある。
以下に実施例の特徴を列挙する。
（特徴１）
バッグ用のストラップアッセンブリであって、
第１端部と第２端部を画定するストラップであって、両方の端部が前記バッグに柔軟に連結され、少なくとも前記第１端部が補強要素を含む前記ストラップと、
前記補強要素および前記バッグに連結される支持部材であって、前記ストラップを前記バッグに対してある角度で持ち上げるように構成され、前記角度が調整可能である前記支持部材と、を備えるストラップアッセンブリ。
（特徴２）
前記補強要素は、合成樹脂、熱可塑性ゴム、ガラス繊維、金属、または気泡混入材の少なくとも１つを備える、特徴１に記載のストラップアッセンブリ。
（特徴３）
前記支持部材は、前記第１端部から前記第２端部までの長さの半分以下のところで前記補強要素に連結される、特徴１又は２に記載のストラップアッセンブリ。
（特徴４）
前記ストラップは、さらに軟質材料を含み、前記軟質材料は、前記補強要素を実質的に囲む、特徴１から３のいずれか一項に記載のストラップアッセンブリ。
（特徴５）
前記ストラップは、実質的に耐水性の表面を含む、特徴１から４のいずれか一項に記載のストラップアッセンブリ。
（特徴６）
前記支持部材は、フックアンドループ式締結部材を含む、特徴１から５のいずれか一項に記載のストラップアッセンブリ。
（特徴７）
前記支持部材は、ヒンジ結合具を含む、特徴１から６のいずれか一項に記載のストラップアッセンブリ。
（特徴８）
前記ストラップは、前記ストラップの長さを調整するように構成されるガイド部材を含む、特徴１から７のいずれか一項に記載のストラップアッセンブリ。
（特徴９）
前記角度は、約７５度〜約１３０度の範囲である、特徴１から８のいずれか一項に記載のストラップアッセンブリ。
（特徴１０）
基部と、
前記基部に結合される１つ以上の壁部であって、細長い物体を保管する密閉可能なハウジングを画定する前記壁部と、
第１端部と第２端部を画定するストラップであって、両方の端部が前記壁部に柔軟に連結され、少なくとも前記第１端部が補強要素を含む前記ストラップと、
前記補強要素および前記バッグに連結される支持部材であって、前記ストラップを前記バッグに対してある角度で持ち上げるように構成され、前記角度が調整可能である前記支持部材と、を備えるバッグ。
（特徴１１）
２つの各端部を画定する第２ストラップをさらに備え、各端部の両方が前記壁部に柔軟に連結され、少なくとも１つの各端部が第２補強要素を含み、前記バッグは、前記第２補強要素と前記バッグに連結された第２支持部材も備え、前記第２支持部材は、前記第２ストラップを前記バッグに対して第２角度で持ち上げるように構成され、前記第２角度が調整可能である、特徴１０に記載のバッグ。
（特徴１２）
前記壁部の少なくとも１つは、実質的に耐水性の表面を含む、特徴１０又は１１に記載のバッグ。
（特徴１３）
前記壁部の少なくとも一部に沿って延在しかつ連結された背柱をさらに備え、前記背柱が第１の剛性と関連付けられ、前記壁部が第２の剛性と関連付けられ、前記第１の剛性は前記第２の剛性より高く、前記ストラップの前記第１端部は、前記背柱に柔軟に連結される、特徴１０から１２のいずれか一項に記載のバッグ。
（特徴１４）
前記補強要素は、合成樹脂、熱可塑性ゴム、ガラス繊維、金属、または気泡混入材の少なくとも１つを備える、特徴１０から１３のいずれか一項に記載のバッグ。
（特徴１５）
前記支持部材は、前記第１端部から前記第２端部までの長さの半分以下のところで前記補強要素に連結される、特徴１０から１４のいずれか一項に記載のバッグ。
（特徴１６）
前記ストラップは、さらに軟質材料を含み、前記軟質材料は、前記補強要素を実質的に囲む、特徴１０から１５のいずれか一項に記載のバッグ。
（特徴１７）
前記ストラップは、実質的に耐水性の表面を含む、特徴１０から１６のいずれか一項に記載のバッグ。
（特徴１８）
前記支持部材は、フックアンドループ式締結部材を含む、特徴１０から１７のいずれか一項に記載のバッグ。
（特徴１９）
前記支持部材は、ヒンジ結合具を含む、特徴１０から１８のいずれか一項に記載のバッグ。
（特徴２０）
前記ストラップは、前記ストラップの長さを調整するように構成されたガイド部材を含む、特徴１０から１９のいずれか一項に記載のバッグ。
（特徴２１）
前記角度は、約７５度〜約１３０度の範囲である、特徴１０から２０のいずれか一項に記載のバッグ。
（特徴２２）
ストラップアッセンブリを有するゴルフバッグを製造する方法であって、
基部と、前記基部に結合された１つ以上の壁部とを有するバッグ本体を形成する工程と、
２つの端部を画定するストラップを形成する工程であって、少なくとも１つの端部が補強要素を含む工程と、
両方の端部を前記壁部に柔軟に連結する工程と、
支持部材を前記補強要素と前記バッグに連結する工程であって、前記支持部材が前記ストラップを前記バッグに対してある角度で持ち上げるように構成され、前記角度が調整可能である工程と、を備える方法。
（特徴２３）
２つの各端部を画定する第２ストラップを形成する工程であって、少なくとも１つの各端部が第２補強要素を含む工程と、各端部の両方を前記壁部に柔軟に連結する工程と、第２支持部材を前記第２補強要素と前記バッグに連結する工程とをさらに備え、前記第２支持部材が前記第２ストラップを前記バッグに対して第２角度で持ち上げるように構成され、前記第２角度が調整可能である、特徴２２に記載の方法。
（特徴２４）
背柱を前記壁部の少なくとも一部に沿って連結する工程をさらに備え、前記第１端部は、前記背柱に柔軟に連結される、特徴２２又は２３に記載の方法。
（特徴２５）
前記支持部材を連結する工程は、前記支持部材を前記第１端部から前記第２端部までの長さの半分以下のところで前記補強要素に連結する工程を備える、特徴２２から２４のいずれか一項に記載の方法。
（特徴２６）
前記ストラップを形成する工程は、前記補強要素を実質的に囲む軟質材料を有するストラップを形成する工程を備える、特徴２２から２５のいずれか一項に記載の方法。
（特徴２７）
フックアンドループ式締結部材を前記支持部材に結合する工程をさらに備える、特徴２２から２６のいずれか一項に記載の方法。
（特徴２８）
ヒンジ結合具を前記支持部材に結合する工程をさらに備える、特徴２２から２７のいずれか一項に記載の方法。
（特徴２９）
ガイド部材を前記ストラップに結合する工程をさらに備え、前記ガイド部材が前記ストラップの長さを調整するように構成される、特徴２２から２８のいずれか一項に記載の方法。